(57)【特許請求の範囲】
【請求項１】
画像ファイルを取得する画像ファイル取得手段と、
上記画像ファイル取得手段によって取得された画像ファイルのファイル名から、該ファイル名の拡張子以外の名称部分に含まれる識別子であって、平面表示モードおよび立体表示モードを含む複数の表示モードのうち何れかの表示モードを指定する識別子を抽出する識別子抽出手段と、
上記画像ファイル取得手段によって取得された画像ファイルに格納された画像を、上記識別子抽出手段によって抽出された識別子によって指定される表示モードにより表示部に表示する表示手段と、を備え、
上記表示手段は、
抽出された上記識別子が、立体表示用画像を立体視不能に表示する表示モードを指定する識別子であった場合に、当該画像を立体視不能に表示し、
抽出された上記識別子が、立体表示用画像を立体視可能に表示する表示モードを指定する識別子であった場合に、当該画像を立体視可能に表示する、
ことを特徴とする画像表示装置。
【請求項２】
記録媒体に記録されている画像ファイルを取得する画像ファイル取得手段と、
上記画像ファイル取得手段によって取得された画像ファイルが格納されている上記記録媒体上のディレクトリ名に含まれる識別子であって、平面表示モードおよび立体表示モードを含む複数の表示モードのうち何れかの表示モードを指定する識別子を抽出する識別子抽出手段と、
上記画像ファイル取得手段によって取得された画像ファイルに格納された画像を、上記識別子抽出手段によって抽出された識別子によって指定される表示モードにより表示部に表示する表示手段と、を備え、
上記表示手段は、抽出された上記識別子が、平面表示用画像を立体視可能に表示する表示モードを指定する識別子であった場合に、当該画像を立体視可能に表示する、
ことを特徴とする画像表示装置。
【請求項３】
画像ファイルを取得する画像ファイル取得手段と、
上記画像ファイル取得手段によって取得された画像ファイルのファイル名から、該ファイル名の拡張子以外の名称部分に含まれる識別子であって、平面表示モードおよび立体表示モードを含む複数の表示モードのうち何れかの表示モードを指定する識別子を抽出する識別子抽出手段と、
上記画像ファイル取得手段によって取得された画像ファイルに格納された画像を、上記識別子抽出手段によって抽出された識別子によって指定される表示モードにより表示部に表示する表示手段と、を備え、
上記表示手段は、抽出された上記識別子が、平面表示用画像を立体視可能に表示する表示モードを指定する識別子であった場合に、当該画像を立体視可能に表示する、
ことを特徴とする画像表示装置。
【請求項４】
上記表示手段は、
サイドバイサイド方式の立体表示用画像を立体視可能に表示するサイドバイサイド表示モード、および、
トップアンドボトム方式の立体表示用画像を立体視可能に表示するトップアンドボトム表示モード、
の各表示モードによる表示が可能であり、
上記表示手段は、抽出された上記識別子が、上記サイドバイサイド表示モードを指定する識別子であった場合に、サイドバイサイド方式により、当該画像を立体視可能に表示し、
抽出された上記識別子が、上記トップアンドボトム表示モードを指定する識別子であった場合に、トップアンドボトム方式により、当該画像を立体視可能に表示する、
ことを特徴とする請求項１に記載の画像表示装置。
【請求項５】
請求項１から４までの何れか１項に記載の画像表示装置を動作させるための制御プログラムであって、コンピュータを上記の各手段として機能させるためのプログラム。
【請求項６】
請求項５に記載のプログラムが記録されたコンピュータ読取り可能な記録媒体。
【請求項７】
画像ファイルを取得する画像ファイル取得工程と、
上記画像ファイル取得工程にて取得された画像ファイルのファイル名から、該ファイル名の拡張子以外の名称部分に含まれる識別子であって、平面表示モードおよび立体表示モードを含む複数の表示モードのうち何れかの表示モードを指定する識別子を抽出する識別子抽出工程と、
上記識別子抽出工程にて抽出された識別子を参照し、上記画像ファイル取得工程にて取得された画像ファイルに格納された画像を、該識別子によって指定される表示モードにより表示部に表示する表示工程と、を含み、
上記表示工程では、
上記識別子抽出工程にて抽出された識別子が、立体表示用画像を立体視不能に表示する表示モードを指定する識別子であった場合に、当該画像を立体視不能に表示し、
上記識別子抽出工程にて抽出された識別子が、立体表示用画像を立体視可能に表示する表示モードを指定する識別子であった場合に、当該画像を立体視可能に表示する、
ことを特徴とする画像表示装置の制御方法。
【請求項８】
画像ファイルを取得する画像ファイル取得工程と、
上記画像ファイル取得工程にて取得された画像ファイルのファイル名から、該ファイル名の拡張子以外の名称部分に含まれる識別子であって、平面表示モードおよび立体表示モードを含む複数の表示モードのうち何れかの表示モードを指定する識別子を抽出する識別子抽出工程と、
上記画像ファイル取得工程にて取得された画像ファイルに格納された画像を、上記識別子抽出工程にて抽出された識別子によって指定される表示モードにより表示部に表示する表示工程と、を含み、
上記表示工程では、上記識別子抽出工程にて抽出された識別子が、平面表示用画像を立体視可能に表示する表示モードを指定する識別子であった場合に、当該画像を立体視可能に表示する、
ことを特徴とする画像表示装置の制御方法。
【発明の詳細な説明】
【技術分野】
【０００１】
本発明は、画像を表示する画像表示装置、および、そのような画像表示装置の制御方法に関する。更に、そのような画像表示装置としてコンピュータを動作させるプログラム、及び、そのようなプログラムが記録されている記録媒体に関する。
【背景技術】
【０００２】
近年、映像を立体視不能に表示する（以下、「２Ｄ（平面）映像を表示する」とも言う）機能に加え、映像を立体視可能に表示する（以下、「３Ｄ（立体）映像を表示する」とも言う）機能を有するテレビジョン受信機（以下、単にＴＶ受信機とも称する）が実現されている。
【０００３】
立体映像を表示する技術としては、立体表示用の映像を立体視可能に表示（３Ｄ→３Ｄ表示）する技術、および、平面表示用の映像を、立体表示用の映像に変換した後、立体視可能に表示（２Ｄ→３Ｄ表示）する技術が知られている。また、３Ｄ→３Ｄ表示を行う技術としては、フレームパッキング（Frame Packing）方式、サイドバイサイド（Side By Side）方式、トップアンドボトム（Top And Bottom）方式が知られている。
【０００４】
フレームパッキング方式は、左目用のフレーム（Ｌ用フレーム）と右目用のフレーム（Ｒ用フレーム）とを交互に送信し、ＴＶ受信機において、それらのフレームを交互に表示するものである。
【０００５】
サイドバイサイド方式は、左目用の画像（Ｌ用画像）と右目用の画像（Ｒ用画像）とを横方向に縮小し左右に並べることによって構成したフレームを送信し、ＴＶ受信機において、当該フレームを左右に２分割し、Ｌ用画像とＲ用画像とを横方向に引き伸ばした後、交互に表示するものである。
【０００６】
トップアンドボトム方式は、Ｌ用画像とＲ用画像とを縦方向に縮小し上下に並べることによって構成したフレームを送信し、ＴＶ受信機において、当該フレームを上下に２分割し、Ｌ用画像とＲ用画像とを縦方向に引き伸ばした後、交互に表示するものである。
【０００７】
また、従来、画像ファイルに格納された画像データを復号し表示する表示装置も知られており、そのような表示装置においては、当該画像データのデータ形式に対応した復号方法によって復号した後、立体視不能な表示モード（平面表示モード）および立体視可能な表示モード（立体表示モード）の何れかの表示モードによって表示する。
【０００８】
特許文献１には、描画対象オブジェクトのファイルに付加された拡張子に基づいて、当該描画対象オブジェクトが３Ｄ画像データを有するか否かを判定する技術が開示されている。特許文献１に開示されている技術を用いれば、描画対象オブジェクトのファイルに付加された拡張子に基づいて、当該描画対象オブジェクトが３Ｄ画像データを有するか否かを判定し、立体表示モードと平面表示モードとを自動的に切り替えることができる。これにより、ユーザにとって、双方の表示モードを切り替えるための操作負担の軽減を図ることができる。
【先行技術文献】
【特許文献】
【０００９】
【特許文献１】特開平１０−７４２６７号公報（１９９８年３月１７日公開）
【発明の概要】
【発明が解決しようとする課題】
【００１０】
しかしながら、特許文献１に開示された技術では、例えば、立体表示用の画像データに対して、平面表示用の画像データとは異なる新たな拡張子を導入する必要があるため、そのような新たな拡張子に対応していない表示装置においては、立体表示用の画像データの示す画像を適切に表示することができないという問題を有している。
【００１１】
本発明は、上記の課題を解決するためになされたものであり、その主たる目的は、映像（画像）ファイルについての新たな拡張子を導入することなく、立体表示モードと平面表示モードとを自動的に切り替えることのできる画像表示装置を実現することにある。
【課題を解決するための手段】
【００１２】
上記課題を解決するために、本発明に係る画像表示装置は、画像ファイルを取得する画像ファイル取得手段と、上記画像ファイル取得手段によって取得された画像ファイルのファイル名から、該ファイル名の拡張子以外の名称部分に含まれる識別子であって、平面表示モードおよび立体表示モードを含む複数の表示モードのうち何れかの表示モードを指定する識別子を抽出する識別子抽出手段と、上記画像ファイル取得手段によって取得された画像ファイルに格納された画像を、上記識別子抽出手段によって抽出された識別子によって指定される表示モードにより表示部に表示する表示手段と、を備えていることを特徴としている。
【００１３】
上記のように構成された画像表示装置によれば、画像ファイルのファイル名の拡張子以外の名称部分に含まれる識別子であって、平面表示モードおよび立体表示モードを含む複数の表示モードのうち何れかの表示モードを指定する識別子を抽出し、上記画像ファイルに格納された画像を、上記識別子によって指定される表示モードにより表示部に表示する。
【００１４】
したがって、上記のように構成された画像表示装置によれば、画像ファイルについての新たな拡張子を導入することなく、平面表示モードおよび立体表示モードを含む複数の表示モードを自動的に切り替えることができるという効果を奏する。
【００１５】
なお、上記立体表示モードとは、画像を立体視可能に表示する、すなわち、右目に提示する画像と左目に提示する画像との間に視差を与えて表示する表示モードのことをであり、上記平面表示モードとは、画像を立体視不能に表示する、すなわち、右目に提示する画像と左目に提示する画像との間に視差を与えずに表示する表示モードのことである（以下同様）。
【００１６】
また、上記「画像」は「動画像（映像）」であってもよいし、「静止画像」であってもよい（以下同様）。動画像を格納する画像ファイルとしては、例えば、mpeg形式のファイルなどが挙げられ、静止画像を格納する画像ファイルとしては、例えば、jpeg形式のファイルなどが挙げられる。
【００１７】
また、本発明に係る制御方法は、画像ファイルを取得する画像ファイル取得工程と、上記画像ファイル取得工程にて取得された画像ファイルのファイル名から、該ファイル名の拡張子以外の名称部分に含まれる識別子であって、平面表示モードおよび立体表示モードを含む複数の表示モードのうち何れかの表示モードを指定する識別子を抽出する識別子抽出工程と、上記識別子抽出工程にて抽出された識別子を参照し、上記画像ファイル取得工程にて取得された画像ファイルに格納された画像を、該識別子によって指定される表示モードにより表示部に表示する表示工程と、含んでいることを特徴としている。
【００１８】
上記の制御方法によれば、上記画像表示装置と同様の効果を奏する。
【００１９】
また、本発明に係る画像表示装置は、記録媒体に記録されている画像ファイルを取得する画像ファイル取得手段と、上記画像ファイル取得手段によって取得された画像ファイルが格納されている上記記録媒体上のディレクトリ名に含まれる識別子であって、平面表示モードおよび立体表示モードを含む複数の表示モードのうち何れかの表示モードを指定する識別子を抽出する識別子抽出手段と、上記画像ファイル取得手段によって取得された画像ファイルに格納された画像を、上記識別子抽出手段によって抽出された識別子によって指定される表示モードにより表示部に表示する表示手段と、と備えていることを特徴としている。
【００２０】
上記のように構成された画像表示装置によれば、画像ファイルが格納されている記録媒体上のディレクトリ名に含まれる識別子であって、平面表示モードおよび立体表示モードを含む複数の表示モードのうち何れかの表示モードを指定する識別子を抽出し、上記画像ファイルに格納された画像を、上記識別子によって指定される表示モードにより表示部に表示する。
【００２１】
したがって、上記のように構成された画像表示装置によれば、画像ファイルの拡張子を変更することなく、平面表示モードおよび立体表示モードを含む複数の表示モードを自動的に切り替えることができるという効果を奏する。
【００２２】
また、上記の構成によれば、画像ファイルに関連付けられたディレクトリ名に含まれる識別子を参照するので、ユーザは、画像ファイルを表示モード毎にディレクトリに分けて管理することが可能になる。これにより、ユーザによる画像ファイルの管理が容易になる。
【００２３】
また、本発明に係る制御方法は、記録媒体に記録されている画像ファイルを取得する画像ファイル取得工程と、上記画像ファイル取得工程によって取得された画像ファイルが格納されている上記記録媒体上のディレクトリ名に含まれる識別子であって、平面表示モードおよび立体表示モードを含む複数の表示モードのうち何れかの表示モードを指定する識別子を抽出する識別子抽出工程と、上記画像ファイル取得工程にて取得された画像ファイルに格納された画像を、上記識別子抽出工程にて抽出された識別子によって指定される表示モードにより表示部に表示する表示工程と、を含んでいることを特徴としている。
【００２４】
上記の制御方法によれば、上記画像表示装置と同様の効果を奏する。
【００２５】
また、上記画像表示装置において、上記表示手段は、平面表示用画像を表示する第１の平面表示モード、立体表示用画像を立体視不能に表示する第２の平面表示モード、立体表示用画像を立体視可能に表示する第１の立体表示モード、及び、平面表示用画像を立体視可能に表示する第２の立体表示モード、の各表示モードによる表示が可能であり、上記識別子は、上記第１の平面表示モード、上記第２の平面表示モード、上記第１の立体表示モード、及び、上記第２の立体表示モードのうち、何れかの表示モードを指定するものである、ことが好ましい。
【００２６】
上記の構成によれば、上記表示手段は、上記識別子を参照して、平面表示用画像を表示する第１の平面表示モード、立体表示用画像を立体視不能に表示する第２の平面表示モード、立体表示用画像を立体視可能に表示する第１の立体表示モード、及び、平面表示用画像を立体視可能に表示する第２の立体表示モード、の何れかの表示モードによる表示を行う。
【００２７】
したがって、上記の構成によれば、画像ファイルの拡張子を変更することなく、上記第１の平面表示モード、上記第２の平面表示モード、上記第１の立体表示モード、及び、上記第２の立体表示モードを自動的に切り替えることができる。
【００２８】
また、上記画像表示装置において、上記表示手段は、上記第１の立体表示モードとして、サイドバイサイド方式の立体表示用画像を立体視可能に表示するサイドバイサイド表示モード、および、トップアンドボトム方式の立体表示用画像を立体視可能に表示するトップアンドボトム表示モード、の各表示モードによる表示が可能であり、上記識別子は、上記第１の立体表示モードとして、上記サイドバイサイド表示モード、および、上記トップアンドボトム表示モードのうち、何れか一方の表示モードを指定するものである、ことが好ましい。
【００２９】
上記の構成によれば、上記表示手段は、上記識別子を参照して、上記第１の立体表示モードとして、サイドバイサイド表示モード、および、トップアンドボトム表示モードの何れかの表示モードによる表示を行うことができる。
【００３０】
したがって、上記の構成によれば、画像ファイルの拡張子を変更することなく、上記第１の平面表示モードのうち、サイドバイサイド表示モード、および、トップアンドボトム表示モードを自動的に切り替えることができる。
【００３１】
また、本発明に係る上記画像表示装置の備える各手段は、コンピュータによって実現してもよい。この場合、上記画像表示装置の備える各手段を動作させるためのプログラム、および、そのようなプログラムを記録したコンピュータ読み取り可能な記録媒体も、本発明の範疇に含まれる。
【発明の効果】
【００３２】
以上のように、本発明に係る画像表示装置は、画像ファイルを取得する画像ファイル取得手段と、上記画像ファイル取得手段によって取得された画像ファイルのファイル名から、該ファイル名の拡張子以外の名称部分に含まれる識別子であって、平面表示モードおよび立体表示モードを含む複数の表示モードのうち何れかの表示モードを指定する識別子を抽出する識別子抽出手段と、上記画像ファイル取得手段によって取得された画像ファイルに格納された画像を、上記識別子抽出手段によって抽出された識別子によって指定される表示モードにより表示部に表示する表示手段と、を備えている。
【００３３】
また、本発明に係る画像表示装置は、記録媒体に記録されている画像ファイルを取得する画像ファイル取得手段と、上記画像ファイル取得手段によって取得された画像ファイルが格納されている上記記録媒体上のディレクトリ名に含まれる識別子であって、平面表示モードおよび立体表示モードを含む複数の表示モードのうち何れかの表示モードを指定する識別子を抽出する識別子抽出手段と、上記画像ファイル取得手段によって取得された画像ファイルに格納された画像を、上記識別子抽出手段によって抽出された識別子によって指定される表示モードにより表示部に表示する表示手段と、と備えている。
【００３４】
上記のように構成された画像表示装置によれば、画像ファイルについての新たな拡張子を導入することなく、平面表示モードおよび立体表示モードを含む複数の表示モードを自動的に切り替えることができる。
【図面の簡単な説明】
【００３５】
【図１】本発明の実施形態に係る３ＤＴＶの構成を示すブロック図である。
【図２】上記３ＤＴＶを備えたシステムの構成を示す斜視図である。
【図３】上記３ＤＴＶの備える２Ｄ／３Ｄ処理部の構成を示すブロック図である。
【図４】上記３ＤＴＶが取得する映像（画像）ファイルのファイル名と、ファイル名に含まれる識別子によって指定される処理の内容との対応を示す表である。
【図５】上記２Ｄ／３Ｄ処理部による処理の流れを示すフローチャートである。
【図６】上記３ＤＴＶが取得する映像（画像）ファイルのファイル名と、映像（画像）ファイルが格納されているフォルダのフォルダ名とを示す図であって、（ａ）は、フォルダ名が識別子を含んでいない場合、（ｂ）は、フォルダ名が識別子「２ＤＯＲＧ」を含んでいる場合、（ｃ）は、フォルダ名が識別子「２Ｄ３Ｄ」を含んでいる場合、（ｄ）は、フォルダ名が識別子「３ＤＳＢＳ」を含んでいる場合、（ｅ）は、フォルダ名が識別子「３ＤＴＡＢ」を含んでいる場合を示している。
【発明を実施するための形態】
【００３６】
本発明の画像表示装置に関する実施の一形態について図１から図５を参照して説明すれば、以下のとおりである。なお、本実施形態では、画像表示装置として、立体画像を連続的に表示することによって立体映像を表示する３Ｄテレビジョン受像機（以下「３ＤＴＶ」とも呼称する）を例示するが、本発明はこれに限定されるものではなく、３Ｄデジタルフォトフレームなど、他の画像表示装置に適用することもできる。
【００３７】
（システムの構成）
図２は、３ＤＴＶ１を備えたシステムの構成を示す斜視図である。本実施の形態において、３ＤＴＶ１は、リモートコントローラ（以下、単にリモコンと称する）２および３Ｄ用メガネ３とともに使用される。
【００３８】
３ＤＴＶ（画像表示装置）１は平面画像または立体画像を連続的に表示することによって平面映像または立体映像を表示するものである。３ＤＴＶ１は、映像信号を受信して、該映像信号の示す映像を表示する。また、後述するように、３ＤＴＶ１は、ネットワークを介して供給される映像ファイル（映像オブジェクト）、ＤＶＤやＢＤなどの着脱不能な記憶媒体に格納されている映像ファイル、または、フラッシュメモリなどの着脱可能な記憶媒体に格納されている映像ファイルを復号して得られる映像を表示することもできる。ここで、上記映像信号および映像ファイルは、立体表示用の映像を示すものであってもよいし、平面表示用の映像を示すものであってもよい。３ＤＴＶ１は、上記映像信号および映像ファイルに基づき、立体映像を表示することも、平面映像を表示することもできる。また、３ＤＴＶ１は、立体映像および平面映像の一部としての立体画像および平面画像を静止画表示することもできるし、上記映像信号および映像ファイルに代えて、画像信号および画像ファイル（画像オブジェクト）が入力されたときには、当該画像信号および画像ファイルの示す立体画像を表示することも平面画像を表示することもできる。
【００３９】
リモコン２は、３ＤＴＶ１と無線通信を行い、ユーザの操作に応じ３ＤＴＶ１に対して各種の指示入力を行う。３Ｄ用メガネ３は、立体映像または立体画像を視聴する場合にユーザが使用するものであり、３ＤＴＶ１と無線通信を行う。３Ｄ用メガネ３は、左右のレンズがシャッター機能を有し、この左右のレンズのシャッター機能は、３ＤＴＶ１の左目用映像（画像）および右目用映像（画像）の表示と同期するように、３ＤＴＶ１によって制御される。本実施の形態において、３ＤＴＶ１とリモコン２および３Ｄ用メガネ３との通信は赤外線通信である。
【００４０】
（３ＤＴＶ１の構成）
図１は、３ＤＴＶ１の構成を示すブロック図である。また、図３は、３ＤＴＶ１の備える２Ｄ／３Ｄ処理部１３０の構成を示すブロック図である。３ＤＴＶ１は、図１に示すように、３つのＨＤＭＩ（High-Definition Multimedia Interface、登録商標、以下同様）入力端子１１ａ〜１１ｃ、ＨＤＭＩスイッチ１１ｄ、ＨＤＭＩレシーバ１００、映像入力端子１０１ａ、音声入力端子１０１ｂ、ＢＤドライブ１０２、チューナ１０３、ＩＰ（Internet Protocol）放送チューナ１０４、衛星放送チューナ１０５、ＯＳＤ（On-Screen Display）生成部１０６、映像セレクタ１０７、映像処理回路１０８、ＬＣＤコントローラ１０９、ＬＣＤ（Liquid Crystal Display）１１０、音声セレクタ１１１、音声処理回路１１２、デジタルアンプ１１３、スピーカ１１４、イーサネット（登録商標）Ｉ／Ｆ１１５、ＲＯＭ１１６、ＲＡＭ１１７、ＣＰＵ１１８、リモコン赤外線受光部１１９、ＩｒＳＳ赤外線受光部１２０、ＵＳＢ・Ｉ／Ｆ１２１、赤外線発光部１２２、眼鏡制御部１２３、および、２Ｄ／３Ｄ処理部１３０を備えている。図１においては、映像信号の経路を実線で、音声信号の経路を１点鎖線で、データや制御信号の経路（バス）を太線で示している。
【００４１】
図１において、（１）ＨＤＭＩレシーバ１００が受信した映像、（２）映像入力端子１０１ａから入力された映像、（３）ＢＤドライブ１０２がＢＤ（Blu-ray Disc（登録商標））から読み出した映像ファイルに格納されている映像データを復号（デコード）して得られる映像、（４）（地上波デジタル放送用）チューナ１０３が受信した映像、（５）ＩＰ放送チューナ１０４がイーサネットＩ／Ｆ１１５を介して取得した映像ファイルに格納されている映像データを復号して得られる映像、（６）衛星放送チューナ１０５が受信した映像、および、（７）ＵＳＢ・Ｉ／Ｆ１２１がＵＳＢメモリ（フラッシュメモリ）から読み出した映像ファイルに格納されている映像データを復号して得られる映像は、それぞれ、映像セレクタ１０７に供給される。また、（１）ＨＤＭＩレシーバ１００が受信した音声、（２）音声入力端子１０１ｂから入力された音声、（３）ＢＤドライブ１０２がＢＤから読み出した映像ファイルに格納されている映像データを復号して得られる音声、（４）チューナ１０３が受信した音声、（５）ＩＰ放送チューナ１０４がイーサネットＩ／Ｆ１１５を介して取得した映像ファイルに格納されている映像データを復号して得られる音声、（６）衛星放送チューナ１０５が受信した音声、および、（７）ＵＳＢ・Ｉ／Ｆ１２１がＵＳＢメモリから読み出した映像ファイルに格納されている映像データを復号して得られる音声は、それぞれ、音声セレクタ１１１に供給される。
【００４２】
なお、（ａ）ＨＤＭＩレシーバ１００が何れのＨＤＭＩ入力端子から入力されるコンテンツを受信するか、すなわち、ＨＤＭＩスイッチ１１ｄが何れのＨＤＭＩ入力端子から入力されたコンテンツをＨＤＭＩレシーバに供給するか、（ｂ）チューナ１０３が何れのチャンネルを介して伝送されたコンテンツを受信するか、（ｃ）ＩＰ放送チューナ１０４が何れのサーバから配信されたコンテンツを受信するか、（ｄ）衛星放送チューナ１０５が何れのチャンネルを介して伝送されたコンテンツを受信するかを決める選択制御は、ＣＰＵ１１８によって行われる。また、（ｅ）ＢＤドライブ１０２における再生、停止、早送り、巻戻し、チャプタ遷移などの再生制御、および、ＵＳＢ・Ｉ／Ｆ１２１によるＵＳＢメモリからの映像ファイルの読出し、および、ＵＳＢメモリへの映像ファイルの書き込みなどの制御も、ＣＰＵ１１８によって行われる。
【００４３】
映像セレクタ１０７は、上記（１）〜（７）の映像のうちの何れか１つを選択する。映像セレクタ１０７によって選択された映像は、映像処理回路１０８に供給される。なお、映像セレクタ１０７が何れの映像を選択するかは、ＣＰＵ１１８によって制御される。
【００４４】
映像処理回路１０８は、映像セレクタ１０７から供給された映像の画質を調整する。また、映像処理回路１０８は、映像セレクタ１０７から供給された映像をスケーリングする。ここで、画質の調整とは、例えば、輝度、シャープネス、およびコントラストの少なくとも何れかを変化させることを指す。また、スケーリングとは、表示すべき映像本来のアスペクト比を保ったままサイズを縮小することを指す。映像処理回路１０８によって画質調整とスケーリングとを施された映像は、２Ｄ／３Ｄ処理部１３０に供給される。なお、映像処理回路１０８が画質をどのように変化させるか、および映像をどの程度縮小するかは、ＣＰＵ１１８によって制御される。
【００４５】
ＯＳＤ生成部１０６は、ＯＳＤ画像を生成するものである。ＯＳＤ生成部１０６は、例えば、ＩｒＳＳ赤外線受光部１１９によって受信された画像信号の示す画像に対して所定の処理を施すことによってＯＳＤ画像を生成する。ＯＳＤ生成部１０６が生成したＯＳＤ画像は、映像処理回路１０８から供給された映像に重ねられて、２Ｄ／３Ｄ処理部１３０に供給される。なお、映像処理回路１０８から供給される映像がサイドバイサイド方式、トップアンドボトム方式などの立体映像である場合、ＯＳＤ生成部１０６は、当該方式に応じたＯＳＤ画像を生成する。また、どのようなＯＳＤ画像を生成するかは、ＣＰＵ１１８によって制御される。
【００４６】
２Ｄ／３Ｄ処理部１３０は、映像処理回路１０８およびＯＳＤ生成部１０６から供給される映像に対して、平面表示または立体表示のための処理を施す。処理を施された映像は、ＬＣＤコントローラ１０９に供給される。２Ｄ／３Ｄ処理部１３０の構成については、後述するため、ここでは説明を省略する。
【００４７】
ＬＣＤコントローラ１０９は、２Ｄ／３Ｄ処理部１３０から供給された平面映像信号または立体映像信号に基づき、その映像信号の示す映像が表示されるようにＬＣＤ１１０を駆動する。また、ＬＣＤコントローラ１０９は、ＬＣＤ１１０のバックライトの点灯・消灯を制御する。なお、バックライトの点灯・消灯をどのように行うかは、ＣＰＵ１１８によって制御される。なお、ＬＣＤ１１０のバックライトは、ＬＥＤ（Light Emitting Diode）であれば、冷陰極管を用いたバックライトよりも、輝度を高くできるので望ましい。また、ＬＣＤ１１０が、赤（Ｒ）・緑（Ｇ）・青（Ｂ）の３原色に、黄（Ｙ）を追加した４原色表示であれば、３原色表示のＬＣＤに比べて明るく表示できるので望ましい。
【００４８】
眼鏡制御部１２３は、ＬＣＤ１１０において立体映像信号の示す映像を表示する場合に、ＬＣＤ１１０での左目用映像（画像）の表示と右目用映像（画像）の表示との切り替えと、３Ｄ用メガネ３の左目用レンズと右目用レンズとのシャッター動作とが同期するように、３Ｄ用メガネ３の上記シャッター動作を制御する。このための制御信号は、赤外線発光部１２２によって赤外線の信号に変換され、３Ｄ用メガネ３に送信される。３Ｄ用メガネ３は、上記赤外線の信号を受信すると、その信号の指示にしたがって左目用レンズと右目用レンズとのシャッター動作を行う。
【００４９】
音声セレクタ１１１は、上記（１）〜（７）の音声のうちの何れか１つを選択する。音声セレクタ１１１によって選択された音声は、音声処理回路１１２に供給される。なお、音声セレクタ１１１が何れの音声を選択するかは、ＣＰＵ１１８によって制御される。ただし、映像セレクタ１０７における映像の選択と、音声セレクタ１１１における音声の選択とは連動しており、例えば、映像セレクタ１０７がＨＤＭＩレシーバ１００から供給された映像を選択しているときには、音声セレクタ１１１もＨＤＭＩレシーバ１００から供給された音声を選択する。
【００５０】
音声処理回路１１２は、音声セレクタ１１１から供給された音声の音量及び音質を調整したり、該音声の仮想サラウンド処理を行ったりする。ここで、音質の調整とは、音声セレクタ１１１から供給された音声の周波数特性を変化させること（例えば、低域の強調や高域の強調など）を指す。また、仮想サラウンド処理とは、人間の聴覚の特性を利用して、ステレオの音声をあたかもサラウンドのような音声に変換する処理を指す。音声処理回路１１２によって処理された音声は、デジタルアンプ１１３に供給される。なお、音声処理回路１１２によって音量及び音質をどのように変化させ、仮想サラウンドの度合をどの程度とするかは、ＣＰＵ１１８によって制御される。
【００５１】
デジタルアンプ１１３は、音声処理回路１１２から供給された音声が出力されるようにスピーカ１１４を駆動する。これにより、音声セレクタ１１１により選択された音声がスピーカ１１４から出力される。
【００５２】
ＣＰＵ１１８は、リモコン赤外線受光部１１９が受信したリモコン信号に応じて上記各部を制御する。リモコン信号に応じた制御としては、例えば、チューナ１０３〜１０５にて選択するチャンネルをリモコン信号に応じて切り替える制御や、映像セレクタ１０７及び音声セレクタ１１１にて選択する映像及び音声をリモコン信号に応じて切り替える制御などが挙げられる。また、ＣＰＵ１１８は、ＨＤＭＩレシーバ１００が外部装置（例えば携帯電話端末）から受信したＣＥＣ（Consumer Electronics Control）コマンドを実行したり、ＨＤＭＩレシーバ１００が外部装置に送信するＣＥＣコマンドを生成したりすることによって、外部装置との連携動作を実現する。
【００５３】
また、ＣＰＵ１１８は、（１）ＢＤドライブ１０２がＢＤから読み出した映像ファイルに格納されている映像データ、（２）ＩＰ放送チューナ１０４がイーサネットＩ／Ｆ１１５を介して取得した映像ファイルに格納されている映像データ、および、（３）ＵＳＢ・Ｉ／Ｆ１２１がＵＳＢメモリから読み出した映像ファイルに格納されている映像データ、を図示しないデコード用バッファメモリに一時的に格納し、それらの映像データを復号することによって、それらの映像データの各々の示す映像を生成する。
【００５４】
また、ＣＰＵ１１８は、（１）ＢＤドライブ１０２がＢＤから読み出した映像ファイル、（２）イーサネットＩ／Ｆ１１５を介してＩＰ放送チューナ１０４が取得した映像ファイル、および、（３）ＵＳＢ・Ｉ／Ｆ１２１がＵＳＢメモリから読み出した映像ファイル、のうち、表示対象である映像を示す映像ファイル（映像オブジェクト）のファイル名（オブジェクト名）を参照し、該ファイル名に表示モードを示す識別子が含まれているか否かを判別する。ＣＰＵ１１８は、判別した結果を示す制御信号を、２Ｄ／３Ｄ処理部１３０に供給する。ＣＰＵ１１８によるファイル名の判別処理については、後述するためここでは説明を省略する。
【００５５】
なお、３ＤＴＶ１はカメラおよび人感センサを備える構成としてもよく、その場合には、ＣＰＵ１１８は、リモコン赤外線受光部１１９が受信したリモコン信号に加えて、カメラが撮像した画像、および人感センサが出力する出力信号に応じて、３ＤＴＶ１の各部を制御する構成とすることもできる。ここで、カメラを用いた制御としては、例えば、映像処理回路１０８において画質をどのように調整するかを、撮像した画像に基づいて特定した視聴者に応じて切り替える制御などが挙げられる。また、人感センサを用いた制御としては、例えば、ＬＣＤ１１０のバックライトを点灯するか消灯するかを、感知結果に応じて切り替える制御などが挙げられる。
【００５６】
ＲＯＭ１１６は、ＣＰＵ１１８によって実行されるプログラムなどの固定データが格納されるメモリである。ＯＳＤ画像を生成するためにＯＳＤ生成部１０６が参照するＪＰＥＧデータやＳＶＧ（Scalable Vector Graphics）データなども、このＲＯＭ１１６に格納される。一方、ＲＡＭ１１７は、ＣＰＵ１１８が演算のために参照するデータ、およびＣＰＵ１１８が演算によって生成したデータなどの可変データが格納される、読み出し可能かつ書き込み可能なメモリである。
【００５７】
イーサネットＩ／Ｆ１１５は、３ＤＴＶ１をネットワークに接続するためのインターフェースである。上述したＩＰ放送チューナ１０４は、このイーサネットＩ／Ｆ１１５を介してインターネット上のサーバにアクセスし、サーバから映像ファイルを取得する。取得された映像ファイルの示す画像は、映像セレクタ１０７に供給される。
【００５８】
なお、イーサネットＩ／Ｆ１１５は、ＬＡＮケーブルや同軸ケーブルなどを介した有線通信によってネットワークに接続するインターフェースであってもよいし、無線ＬＡＮ、Ｂｌｕｅｔｏｏｔｈ、及びＷｉｆｉなどの無線通信によってネットワークへ接続するインターフェースであってもよい。
【００５９】
ＩｒＳＳ赤外線受光部１２０は、ＩｒＳＳを用いた近距離無線通信により、外部機器であるデジタルカメラ等から送信された画像信号を受信するための手段である。ＩｒＳＳ赤外線受光部１２０は、受信した画像信号を、ＣＰＵ１１８およびＯＳＤ生成部１０６に供給する。
【００６０】
ＵＳＢ・Ｉ／Ｆ１２１は、（１）ＵＳＢメモリを３ＤＴＶ１に接続するためのインターフェースとしての機能、（２）ＵＳＢメモリから映像ファイルを読み出す読み出し装置としての機能、（３）ＵＳＢメモリに映像ファイルを書き込む書き込み装置としての機能、を有している。ＵＳＢ・Ｉ／Ｆ１２１によってＵＳＢメモリから読み出された映像ファイルの示す映像は映像セレクタ１０７へ供給され、該映像ファイルの示す音声は音声セレクタ１１１へ供給される。なお、ＵＳＢ・Ｉ／Ｆ１２１は、ＵＳＢケーブルを介して、ハードディスクドライブやパーソナルコンピュータ等の外部機器から映像ファイルを取得し、該映像ファイルの示す映像を映像セレクタ１０７へ供給したり、該映像ファイルの示す音声を音声セレクタ１１１へ供給したりすることもできる。
【００６１】
以上、本実施形態に係る３ＤＴＶ１の概略構成について、主に、映像ファイルを処理する場合を中心に説明を行ったが、映像ファイルに代えて画像ファイルを処理する場合も同様である。
【００６２】
（ＣＰＵ１１８によるファイル名の判別処理）
以下では、ＣＰＵ１１８によるファイル名の判別処理について、図４を参照して説明する。一般に、映像（画像）ファイルのファイル名は、該映像（画像）ファイルの種類を示す拡張子と、該拡張子を除く名称部分とから構成されている。本実施形態においては、拡張子として、（１）JPEG形式で圧縮された画像ファイルであることを示すjpg、（２）MPEG形式で圧縮された映像ファイルであることを示すmpgを例に挙げて説明を行うが、本実施形態において取り扱い可能な拡張子はこれらに限定されるものではなく、その他の拡張子であってもよい。
【００６３】
また、本実施形態においては、表示対象である映像（画像）を立体的に表示する表示方式として、主に、サイドバイサイド（Side By-Side）方式、および、トップアンドボトム（Top And Bottom）方式を取り扱う。ここで、サイドバイサイド方式とは、１枚の画像を左右に２分割することによって左目用画像と右目用画像とを抽出し、該左目用画像および該右目用画像の各々を横方向に引き伸ばした後、時分割表示方式により交互に表示する表示方式である。したがって、サイドバイサイド方式を用いた立体表示モードにより立体表示可能な映像（画像）ファイルの示す映像（画像）には、１枚の画像につき、左目用画像と右目用画像とが含まれている。また、トップアンドボトム方式とは、１枚の画像を上下に２分割することによって左目用画像と右目用画像とを抽出し、該左目用画像および該右目用画像の各々を縦方向に引き伸ばした後、時分割表示方式により交互に表示する表示方式である。したがって、トップアンドボトム方式を用いた立体表示モードにより立体表示可能な映像（画像）ファイルの示す映像（画像）には、１枚の画像につき、左目用画像と右目用画像とが含まれている。
【００６４】
図４は、表示対象である映像（画像）を示す映像（画像）ファイルのファイル名の例を示す表である。図４に示すように、ファイル名の名称部分には、「２ＤＯＲＧ」、「２Ｄ３Ｄ」、「３ＤＳＢＳ」、「３ＤＴＡＢ」などの特定の文字列が含まれている。これらの文字列は、平面表示および立体表示を含む複数の表示モードのうち何れかを指定する識別子としての役割を有している。
【００６５】
（３ＤＳＢＳ）
文字列「３ＤＳＢＳ」は、該文字列をファイル名の名称部分の一部として含む映像（画像）ファイルが、サイドバイサイド方式を用いた立体表示モードにより立体表示されるべき映像（画像）ファイルであることを示している。
【００６６】
ＣＰＵ１１８は、表示対象の映像（画像）を表す映像（画像）ファイルのファイル名に、文字列「３ＤＳＢＳ」が含まれている場合には、２Ｄ／３Ｄ処理部１３０に対して、該表示対象の映像（画像）をサイドバイサイド方式を用いた立体表示モードにより立体表示する旨の制御信号Ｓ＿３ＤＳＢＳを供給する。
【００６７】
（３ＤＴＡＢ）
文字列「３ＤＴＡＢ」は、該文字列をファイル名の名称部分の一部として含む映像（画像）ファイルが、トップアンドボトム方式を用いた立体表示モードにより立体表示されるべき映像（画像）ファイルであることを示している。
【００６８】
ＣＰＵ１１８は、表示対象の映像（画像）を表す映像（画像）ファイルのファイル名に、文字列「３ＤＴＡＢ」が含まれている場合には、２Ｄ／３Ｄ処理部１３０に対して、該表示対象の映像（画像）をトップアンドボトム方式を用いた立体表示モードにより立体表示する旨の制御信号Ｓ＿３ＤＴＡＢを供給する。
【００６９】
（２ＤＯＲＧ）
文字列「２ＤＯＲＧ」は、該文字列をファイル名の名称部分の一部として含む映像（画像）ファイルが、平面表示されるべき映像（画像）ファイルであることを示している。
【００７０】
ＣＰＵ１１８は、表示対象の映像（画像）を表す映像（画像）ファイルのファイル名に、文字列「２ＤＯＲＧ」が含まれている場合には、２Ｄ／３Ｄ処理部１３０に対して、該表示対象の映像（画像）を平面表示する旨の制御信号Ｓ＿２ＤＯＲＧを供給する。
【００７１】
（２Ｄ３Ｄ）
文字列「２Ｄ３Ｄ」は、該文字列をファイル名の名称部分の一部として含む映像（画像）ファイルが、擬似的に立体表示されるべき映像（画像）ファイルであることを示している。
【００７２】
ＣＰＵ１１８は、表示対象の映像（画像）を表す映像（画像）ファイルのファイル名に、文字列「２Ｄ３Ｄ」が含まれている場合には、２Ｄ／３Ｄ処理部１３０に対して、該表示対象の映像（画像）を擬似的に立体表示する旨の制御信号Ｓ＿２Ｄ３Ｄを供給する。
【００７３】
（識別子を含まない場合）
ファイル名の名称部分が識別子としての特定の文字列を含んでいない映像（画像）ファイルは、該映像（画像）ファイルの示す画像をそのまま表示すべきファイルである。したがって、該映像（画像）ファイルの示す画像が平面表示用の画像である場合には、該平面表示用の画像がそのまま表示され、該映像（画像）ファイルの示す画像が立体表示用の画像である場合には、該立体表示用の画像がそのまま表示される。
【００７４】
ＣＰＵ１１８は、表示対象の映像（画像）を表す映像（画像）ファイルのファイル名に、識別子としての特定の文字列が含まれていない場合には、２Ｄ／３Ｄ処理部１３０に対して、該表示対象の映像（画像）をそのまま表示する旨の制御信号Ｓ＿Ｏを供給する。
【００７５】
なお、上記の例では、識別子としての特定の文字列として、「２ＤＯＲＧ」、「２Ｄ３Ｄ」、「３ＤＳＢＳ」、および、「３ＤＴＡＢ」を用いる場合について説明したが、本実施形態はこれに限定されるものではない。識別子としての特定の文字列は、互いに区別できるものであればよく、例えば、「２ＤＯＲＧ」、「２Ｄ３Ｄ」、「３ＤＳＢＳ」、および、「３ＤＴＡＢ」に代えて、「ＡＡ」、「ＢＢ」、「ＣＣ」、および、「ＤＤ」などのより短い文字列を用いてもよい。
【００７６】
また、上記の例では、互いに処理内容が異なる４種類の処理を区別するために、４つの互いに異なる文字列を用いたが、３ＤＴＶ１は、平面表示および立体表示に関する処理として、互いに異なるＮ（Ｎは２以上の整数）種類の処理を行える構成としてもよく、その場合には、当該Ｎ種類の処理の各々に対応するＮ種類の互いに異なる識別子を用いる構成とすることができる。
【００７７】
例えば、３ＤＴＶ１は、サイドバイサイド方式、および、トップアンドボトム方式のみならず、フレームパッキング方式の立体表示用ファイルの示す立体映像（画像）を表示する構成とすることもでき、その場合には、フレームパッキング方式の立体表示用ファイルを、例えば、「３ＤＦＳ」などの識別子を用いて識別する構成とすることができる。
【００７８】
また、ＣＰＵ１１８が識別子として識別可能な文字列と、該文字列によって指定される処理内容との対応情報を、予め３ＤＴＶ１の備えるメモリ、または、着脱可能な記憶媒体などに記録しておき、ＣＰＵ１１８は、その対応情報を参照して２Ｄ／３Ｄ処理部１３０を制御する構成とすることができる。
【００７９】
また、ファイル名の名称部分における、識別子の文字列、および、識別子以外の部分の文字列は、ユーザにより設定されるものであってもよいし、外部機器において自動的に設定されるものであってもよい。ただし、ファイル名の名称部分に付与される識別子としての文字列は、ＣＰＵ１１８が識別子として識別可能な文字列の中から選択されるものとする。
【００８０】
また、上記の例では、ファイル名の名称部分において、識別子としての特定の文字列と、該特定の文字列以外の部分と区別するためのセパレータとして「_」（アンダースコア）を用いたが、その他の記号（例えば「-」（マイナス）など）を用いてもよい。また、ＣＰＵ１１８が、識別子としての特定の文字列を抽出することができれば、該特定の文字列と該特定の文字列以外の部分との間のセパレータはなくてもよい。
【００８１】
（２Ｄ／３Ｄ処理部１３０）
続いて、２Ｄ／３Ｄ処理部１３０について、図３を参照して説明する。図３は、２Ｄ／３Ｄ処理部１３０の構成を示すブロック図である。図３に示すように、２Ｄ／３Ｄ処理部１３０は、スイッチ部１３１、３Ｄ→２Ｄ変換部１３２、２Ｄ→３Ｄ変換部１３３、および、３Ｄ処理部１３４を備えている。
【００８２】
スイッチ部１３１は、映像処理回路１０８およびＯＳＤ生成部１０６から供給される映像を、ＣＰＵ１１８から供給される制御信号に基づいて、（１）ＬＣＤコントローラ１０９、（２）３Ｄ→２Ｄ変換部１３２、（３）３Ｄ処理部１３４、および、（４）２Ｄ→３Ｄ変換部１３３の何れかに供給する。
【００８３】
（３Ｄ→２Ｄ変換部１３２）
３Ｄ→２Ｄ変換部１３２は、立体表示用の映像（画像）を、平面表示用の映像（画像）に変換する。例えば、立体表示用の映像が、サイドバイサイド方式の映像である場合には、３Ｄ→２Ｄ変換部１３２は、当該映像を構成する各画像を左右に２分割することによって、左目用画像と右目用画像とを抽出し、左目用画像および右目用画像の何れか一方を横方向に引き伸ばすことによって、平面表示用の映像を生成する。また、立体表示用の映像が、トップアンドボトム方式の映像である場合には、３Ｄ→２Ｄ変換部１３２は、当該映像を構成する各画像を上下に２分割することによって、左目用画像と右目用画像とを抽出し、左目用画像および右目用画像の何れか一方を縦方向に引き伸ばすことによって、平面表示用の映像を生成する。
【００８４】
（２Ｄ→３Ｄ変換部１３３）
２Ｄ→３Ｄ変換部１３３は、平面表示用の映像（画像）を、擬似的な立体表示用の映像（画像）に変換する。例えば、２Ｄ→３Ｄ変換部１３３は、平面表示用の映像を構成する各画像から、右目用画像と左目用画像とを生成し、それらの画像からサイドバイサイド方式またはトップアンドボトムによって立体表示可能な映像を生成する。
【００８５】
（３Ｄ処理部１３４）
３Ｄ処理部１３４は、立体表示用の映像（画像）から右目用画像と左目用画像とを抽出し、それらの画像を所定のアスペクト比に変換した後、ＬＣＤコントローラ１０９に対して、時分割方式により交互に供給する。例えば、上記立体表示用の映像が、サイドバイサイド方式の映像である場合には、当該映像を構成する各画像を左右に２分割することによって右目用画像と左目用画像とを抽出し、それらの画像を横方向に引き伸ばした後、ＬＣＤコントローラ１０９に対して、時分割方式により交互に供給する。また、上記立体表示用の映像が、トップアンドボトム方式の映像である場合には、当該映像を構成する各画像を上下に２分割することによって右目用画像と左目用画像とを抽出し、それらの画像を縦方向に引き伸ばした後、ＬＣＤコントローラ１０９に対して、時分割方式により交互に供給する。
【００８６】
（制御信号に基づく２Ｄ／３Ｄ処理部１３０の具体的処理の流れ）
以下では、ＣＰＵ１１８から制御信号が供給された場合の、２Ｄ／３Ｄ処理部１３０の具体的処理について説明する。
【００８７】
（ステップＳ１０１）
まず、２Ｄ／３Ｄ処理部１３０は、ＣＰＵ１１８から供給される制御信号を識別し、該制御信号が、Ｓ＿３ＤＳＢＳ、Ｓ＿３ＤＴＡＢ、Ｓ＿２ＤＯＲＧ、Ｓ＿２Ｄ３Ｄ、および、Ｓ＿Ｏの何れであるかを識別する。
【００８８】
（ステップＳ１０２）
制御信号が、Ｓ＿３ＤＳＢＳおよびＳ＿３ＤＴＡＢの何れかである場合には、２Ｄ／３Ｄ処理部１３０は、スイッチ部１３１を切り替えることによって、映像処理回路１０８およびＯＳＤ生成部１０６から供給される対象映像（画像）を３Ｄ処理部１３４に供給する。３Ｄ処理部１３４は、対象映像（画像）に対して上述した処理を施すことによって時分割表示用の映像を生成し、ＬＣＤコントローラ１０９に供給する。
【００８９】
（ステップＳ１０３）
制御信号が、Ｓ＿２Ｄ３Ｄである場合には、２Ｄ／３Ｄ処理部１３０は、スイッチ部１３１を切り替えることによって、映像処理回路１０８およびＯＳＤ生成部１０６から供給される対象映像（画像）を２Ｄ→３Ｄ変換部１３３に供給する。２Ｄ→３Ｄ変換部１３３は、対象映像（画像）に対して上述した処理を施すことによって、擬似的な立体表示用の映像を生成する。
【００９０】
（ステップＳ１０４）
ステップＳ１０３にて、２Ｄ→３Ｄ変換部１３３により処理を施された擬似的な立体表示用の映像（画像）に対して、３Ｄ処理部１３４が、上述した処理を施すことによって時分割表示用の映像を生成し、ＬＣＤコントローラ１０９に供給する。
【００９１】
（ステップＳ１０５）
制御信号が、Ｓ＿２ＤＯＲＧである場合には、２Ｄ／３Ｄ処理部１３０は、映像処理回路１０８およびＯＳＤ生成部１０６から供給される対象映像（画像）が立体表示用の映像（画像）であるか否かを判別する。
【００９２】
（ステップＳ１０６）
対象映像（画像）が立体表示用の映像（画像）である場合（ステップＳ１０５でＹｅｓ）、３Ｄ→２Ｄ変換部１３２は、対象映像（画像）に対して上述した処理を施すことによって平面表示用の映像を生成し、ＬＣＤコントローラ１０９に供給する。
【００９３】
（ステップＳ１０７）
対象映像（画像）が立体表示用の映像（画像）でない場合（ステップＳ１０５でＮｏ）、２Ｄ／３Ｄ処理部１３０は、対象映像（画像）をそのままＬＣＤコントローラ１０９に供給する。
【００９４】
（ステップＳ１０８）
制御信号が、Ｓ＿Ｏである場合、２Ｄ／３Ｄ処理部１３０は、対象映像（画像）をそのままＬＣＤコントローラ１０９に供給する。
【００９５】
以上のように、２Ｄ／３Ｄ処理部１３０は、ＣＰＵ１１８からの制御信号に基づき、上述した処理を行うことによって、ファイル名に含まれる識別子によって指定される処理を施した後の映像（画像）をＬＣＤ１１０に表示させることができる。
【００９６】
これにより、映像（画像）ファイルの拡張子を変更することなく、ファイル毎に平面表示と立体表示とを切り替えることができる。また、３ＤＴＶ１は、データ形式の同じ映像（画像）ファイル（上記の例においては、映像の場合「mpg」、画像の場合「jpg」）を用いて平面表示および立体表示を行うことができるため、立体表示用の拡張子と、平面表示用の拡張子とを別々にサポートする必要がない。換言すれば、立体表示用の画像ファイルについての新たな拡張子を導入する必要がない。また、立体表示用の映像（画像）ファイルと、平面表示用の映像（画像）ファイルとを同一の復号方法によって復号した後、それぞれの表示方法によって表示することができるため、平面表示された映像（画像）と立体表示された映像（画像）との間に、データ形式が異なることによって生じ得る質感の違い、および、ざらつきの違いなどが生じることがない。したがって、ユーザに対して、平面表示と立体表示との表示効果の違いを明確に認識せしめることができる。
【００９７】
＜変形例＞
上記の説明においては、ＣＰＵ１１８が、映像（画像）ファイルのファイル名に含まれる識別子を参照し、２Ｄ／３Ｄ処理部１３０に対して、該識別子によって指定される処理を行うように制御する場合について説明を行ったが、本実施形態はこれに限定されるものではない。
【００９８】
例えば、３ＤＴＶ１は、ＢＤドライブ１０２より映像（画像）ファイルを取得する際、または、イーサネットＩ／Ｆ１１５、および、ＵＳＢ・Ｉ／Ｆ１２１などを介して、映像（画像）ファイルを取得する際に、該映像（画像）ファイルが格納されているディレクトリ（フォルダ）のディレクトリ名（フォルダ名）を、該映像（画像）ファイルに関連付けて取得し、取得したディレクトリ名（フォルダ名）に含まれる識別子を参照し、２Ｄ／３Ｄ処理部１３０に対して、該識別子によって指定される処理を行うように制御する構成とすることもできる。
【００９９】
より具体的には、例えば、ＣＰＵ１１８は、ＵＳＢ・Ｉ／Ｆ１２１を介して、ＵＳＢメモリに記憶されている映像（画像）ファイルを取得する際に、ＵＳＢメモリにおいて映像（画像）ファイルが格納されているフォルダのフォルダ名を、該映像（画像）ファイルに関連付けて取得し、該フォルダ名に含まれる識別子を参照し、２Ｄ／３Ｄ処理部１３０に対して、該識別子によって指定される処理を行うように制御する構成とすることもできる。
【０１００】
図６（ａ）〜（ｅ）は、３ＤＴＶ１が、ＵＳＢ・Ｉ／Ｆ１２１を介してＵＳＢメモリより取得した映像（画像）ファイルのファイル名と、ＵＳＢメモリにおいて該映像（画像）ファイルが格納されているフォルダのフォルダ名とを示す図であって、（ａ）は、フォルダ名が識別子を含んでいない場合、（ｂ）は、フォルダ名が識別子「２ＤＯＲＧ」を含んでいる場合、（ｃ）は、フォルダ名が識別子「２Ｄ３Ｄ」を含んでいる場合、（ｄ）は、フォルダ名が識別子「３ＤＳＢＳ」を含んでいる場合、（ｅ）は、フォルダ名が識別子「３ＤＴＡＢ」を含んでいる場合を示している。
【０１０１】
図６（ａ）に示すフォルダに含まれる画像ファイル「PhotoSample1.jpg」および「VideoSample1.mpg」を表示する際には、ＣＰＵ１１８は、２Ｄ／３Ｄ処理部１３０に対して、制御信号Ｓ＿Ｏを供給する。図６（ｂ）に示すフォルダに含まれる画像ファイル「PhotoSample2.jpg」および「VideoSample2.mpg」を表示する際には、ＣＰＵ１１８は、２Ｄ／３Ｄ処理部１３０に対して、制御信号Ｓ＿２ＤＯＲＧを供給する。図６（ｃ）に示すフォルダに含まれる画像ファイル「PhotoSample3.jpg」および「VideoSample3.mpg」を表示する際には、ＣＰＵ１１８は、２Ｄ／３Ｄ処理部１３０に対して、制御信号Ｓ＿２Ｄ３Ｄを供給する。図６（ｄ）に示すフォルダに含まれる画像ファイル「PhotoSample4.jpg」および「VideoSample4.mpg」を表示する際には、ＣＰＵ１１８は、２Ｄ／３Ｄ処理部１３０に対して、制御信号Ｓ＿３ＤＳＢＳを供給する。図６（ｅ）に示すフォルダに含まれる画像ファイル「PhotoSample5.jpg」および「VideoSample5.mpg」を表示する際には、ＣＰＵ１１８は、２Ｄ／３Ｄ処理部１３０に対して、制御信号Ｓ＿３ＤＴＡＢを供給する。
【０１０２】
各制御信号が供給された２Ｄ／３Ｄ処理部１３０の行う処理については、すでに説明したためここでは説明を省略する。
【０１０３】
このように、３ＤＴＶ１は、映像（画像）ファイルを取得する際に、該映像（画像）ファイルが格納されているディレクトリ（フォルダ）のディレクトリ名（フォルダ名）を取得し、映像（画像）ファイルのファイル名を参照することに代えて、当該ディレクトリ（フォルダ）のディレクトリ名（フォルダ名）に含まれている識別子を参照し、２Ｄ／３Ｄ処理部１３０に対して、該識別子によって指定される処理を行うように制御することができる。
【０１０４】
これにより、映像（画像）ファイルの拡張子を変更することなく、ディレクトリ毎（フォルダ毎）に平面表示と立体表示とを切り替えることができる。また、３ＤＴＶ１は、データ形式の同じ映像（画像）ファイル（上記の例においては、映像の場合「mpg」、画像の場合「jpg」）を用いて平面表示および立体表示を行うことができるため、立体表示用の拡張子と、平面表示用の拡張子とを別々にサポートする必要がない。換言すれば、立体表示用の画像ファイルについての新たな拡張子を導入する必要がない。また、立体表示用の映像（画像）ファイルと、平面表示用の映像（画像）ファイルとを同一の復号方法によって復号した後、それぞれの表示方法によって表示することができるため、平面表示された映像（画像）と立体表示された映像（画像）との間に、データ形式が異なることによって生じ得る質感の違い、および、ざらつきの違いなどが生じることがない。したがって、ユーザに対して、平面表示と立体表示との表示効果の違いを明確に認識せしめることができる。
【０１０５】
また、本変形例においては、映像（画像）ファイルを表示方式毎に管理しておくことができるため、様々な表示方式の映像（画像）ファイルが存在する場合であっても、ユーザはそれらの映像（画像）ファイルを容易に管理することができるので、ユーザの利便性が増すことになる。
【０１０６】
なお、映像（画像）ファイルが、階層的なディレクトリ構造によって管理されている場合、例えば、ディレクトリ１の下にディレクトリ２が存在し、ディレクトリ２の下のディレクトリ３が存在し、映像（画像）ファイルがディレクトリ３に格納されているような場合には、ＣＰＵ１１８は、ディレクトリ１〜３のうち何れかのディレクトリのディレクトリ名に含まれる識別子を参照し、該識別子の指定する表示モードによって該映像（画像）ファイルの表す映像（画像）を表示する構成とすることもできる。
【０１０７】
また、ＣＰＵ１１８は、ディレクトリ名とファイル名の双方に含まれる識別子を参照する構成としてもよい。例えば、ディレクトリ名が「Directory_3D_Sample」であるディレクトリ内に、ファイル名が「Photo_SBS_Sample.jpg」である画像ファイル、および、ファイル名が「Photo_TAB_Sample.jpg」である画像ファイルが格納されている場合には、ＣＰＵ１１８は、ディレクトリ名「Directory_3D_Sample」に含まれる識別子「3D」を参照することによって、該ディレクトリに格納されている画像ファイルが、立体表示すべきものであることを識別し、ファイル名「Photo_SBS_Sample.jpg」に含まれる識別子「SBS」を参照することによって、画像ファイル「Photo_SBS_Sample.jpg」が、立体表示のうち、サイドバイサイド方式によって表示すべきものであることを識別し、ファイル名「Photo_TAB_Sample.jpg」に含まれる識別子「TAB」を参照することによって、画像ファイル「Photo_TAB_Sample.jpg」が、立体表示のうち、トップアンドボトム方式によって表示すべきものであることを識別する構成としてもよい。
【０１０８】
（プログラム及び記録媒体）
最後に、３ＤＴＶ１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１０９】
後者の場合、３ＤＴＶ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである３ＤＴＶ１の制御プログラムのプログラムコード（実行形式プログラム、中間コードプログラム、ソースプログラム）をコンピュータで読み取り可能に記録した記録媒体を、上記３ＤＴＶ１に供給し、そのコンピュータ（またはＣＰＵやＭＰＵ）が記録媒体に記録されているプログラムコードを読み出し実行することによっても、達成可能である。
【０１１０】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１１１】
また、３ＤＴＶ１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１３】
本発明は、映像（画像）を立体的に表示可能な画像表示装置に好適に適用することができる。より具体的には、テレビジョン受像機、デジタルフォトフレーム、ＰＣ（Personal Computer）に接続されるディスプレイ、ディスプレイを内蔵したＰＣ、携帯電話端末、ＰＤＡ（Personal Digital Assistant）や携帯型デジタル音楽プレーヤ等のモバイル端末機器、ディスプレイ装置を内蔵したカーナビゲーションシステムなどに好適に適用することができる。
【符号の説明】
【０１１４】
１                ３ＤＴＶ（画像表示装置）
１１ａ〜１１ｃ    ＨＤＭＩ入力端子
１１ｄ            ＨＤＭＩスイッチ
１００            ＨＤＭＩレシーバ
１０１ａ          映像入力端子
１０１ｂ          音声入力端子
１０２            ＢＤドライブ
１０３            チューナ
１０４            ＩＰ放送チューナ
１０５            衛星放送チューナ
１０６            ＯＳＤ生成部
１０７            映像セレクタ
１０８            映像処理回路
１０９            ＬＣＤコントローラ
１１０            ＬＣＤ（表示部）
１１１            音声セレクタ
１１２            音声処理回路
１１３            デジタルアンプ
１１４            スピーカ
１１５            イーサネットＩ／Ｆ
１１６            ＲＯＭ
１１７            ＲＡＭ
１１８            ＣＰＵ（画像ファイル取得手段、識別子抽出手段、表示手段）
１１９            リモコン赤外線受光部
１２０            ＩｒＳＳ赤外線受光部
１２１            ＵＳＢ・Ｉ／Ｆ
１２２            赤外線発光部
１２３            眼鏡制御部
１３０            ２Ｄ／３Ｄ処理部
【図１】
0005496802.tif 000002
【図２】
0005496802.tif 000003
【図３】
0005496802.tif 000004
【図４】
0005496802.tif 000005
【図５】
0005496802.tif 000006
【図６】
0005496802.tif 000007